(57)【特許請求の範囲】
【請求項１】
ベルトと、
前記ベルトの基端に固定された屈曲金具と、を備えてなるリードであって、
前記屈曲金具は、リング状に形成されたフレーム環に、当該フレーム環を二分する棒状の固定軸部が架設され、前記フレーム環は、固定軸部との接合部を境目にして当該固定軸部の一方側に、９０°〜１２０°の曲げ角度にて屈曲され、前記固定軸部の両側に当該フレーム環によるベルト押え部が夫々形成されてなり、
前記ベルトの基端が固定軸部に固定され、ベルトの先端が固定軸部と夫々のベルト押え部に囲まれた２つの空間部を通り抜けて、ループ状の把持部が固定軸部の他方側に形成されたことを特徴とするリード。
【請求項２】
ベルトと、
前記ベルトの両端に夫々固定された屈曲金具と、を備えてなるリードであって、
前記屈曲金具は、リング状に形成されたフレーム環に、当該フレーム環を二分する棒状の固定軸部が架設され、前記フレーム環は、固定軸部との接合部を境目にして当該固定軸部の一方側に、９０°〜１２０°の曲げ角度にて屈曲され、前記固定軸部の両側に当該フレーム環によるベルト押え部が夫々形成されてなり、
前記ベルトの基端が一方の屈曲金具の固定軸部に固定され、ベルトの先端が当該固定軸部とベルト押え部に囲まれた２つの空間部を通り抜けて、ループ状の把持部が当該固定軸部の他方側に形成され、更に、他方の屈曲金具の固定軸部とベルト押え部に囲まれた２つの空間部を通り抜けて、ループ状の把持部が当該固定軸部の他方側に形成されて当該固定軸部に固定されたことを特徴とするリード。
【請求項３】
請求項１又は請求項２に記載のリードにおいて、
ベルトとベルト押え部との摩擦抵抗が５ｋｇｆ未満となるように、フレーム環の曲げ角度が設定されているリード。
【発明の詳細な説明】
【技術分野】
【０００１】
本発明は、主にペットを散歩させる時などに使用するリードに関する。
【背景技術】
【０００２】
犬、猫等のペットを散歩などに連れて行くときには、リードが使用される。
【０００３】
このリードは、一般に紐又は帯状のベルトの先端にペットの首輪やハーネス等と繋ぐ掛止部が設けられ、ベルトの基端にループ状の把持部が形成されている。
【０００４】
そして、ペットを散歩させるときには、先端の掛止具をペットの首輪に繋ぎ、基端の把持部を手で持ちながらペットを誘導する。
【０００５】
ところが、誘導する者は、少なくとも片方の手でリードを掴んでおく必要があるので、例えば、散歩中のペットの排便処理をするには、リードを掴んでいない他方の手だけで処理することとなり、不便である。
【０００６】
そこで、従来、ペットの首輪等に繋ぐ第１の掛止具を紐リードの一端に設け、他端に第２の掛止具を設け、中間部に移動式固定具を設けたリード用具が提案されている（例えば、特許文献１、参照。）。
【０００７】
このリード用具は、紐リードの他端を腰などに巻き回した状態で、前記第２の掛止具を移動式固定具に係止することにより、両手をフリー状態にできるので、ペットの排便処理を両手で行うことができる。
【先行技術文献】
【特許文献】
【０００８】
【特許文献１】特開２００９−２１３４３４号公報
【発明の概要】
【発明が解決しようとする課題】
【０００９】
ところで、ペットの散歩中には、ペットの排便処理と散歩とが頻繁に繰り返されることが多く、また、ペットの排便処理を終えた後には、把持部の径を再び調節することとなることから、特許文献１のリード用具では、第２の掛止具を移動式固定具から一旦離脱させ、移動式固定具を紐リードの他端側に移動調整したうえで、第２の掛止具を再び移動式固定具に係止して、ループ状の把持部の径（ループの大きさ）を調節しなければならず、手間を要するものであった。
【００１０】
なお、第２の掛止具を紐リードに直接係止してループ状の把持部を形成することも考えられるが、これでは、散歩中にリードの先端が引っ張られると、その張力によって、巻き回した把持部が手首や腰などに食い込んでしまう恐れがある。
【００１１】
本発明は、かかる課題を解決することを目的とし、把持部の径を簡単に調節でき、把持部が誘導する者の手首、腰、胴など（以下「手首等」と略する。）に食い込むことも防止可能なリードを提供する。
【課題を解決するための手段】
【００１２】
本発明は、ベルトと、前記ベルトの基端に固定された屈曲金具と、を備えてなるリードであって、前記屈曲金具は、リング状に形成されたフレーム環に、当該フレーム環を二分する棒状の固定軸部が架設され、前記フレーム環は、固定軸部との接合部を境目にして当該固定軸部の一方側に屈曲され、前記固定軸部の両側に当該フレーム環によるベルト押え部が夫々形成されてなり、前記ベルトの基端が固定軸部に固定され、ベルトの先端が固定軸部と夫々のベルト押え部に囲まれた２つの空間部を通り抜けて、ループ状の把持部が固定軸部の他方側に形成されたことを特徴とする。
【００１３】
また、本発明は、ベルトと、前記ベルトの両端に夫々固定された屈曲金具と、を備えてなるリードであって、前記屈曲金具は、リング状に形成されたフレーム環に、当該フレーム環を二分する棒状の固定軸部が架設され、前記フレーム環は、固定軸部との接合部を境目にして当該固定軸部の一方側に屈曲され、前記固定軸部の両側に当該フレーム環によるベルト押え部が夫々形成されてなり、前記ベルトの基端が一方の屈曲金具の固定軸部に固定され、ベルトの先端が当該固定軸部とベルト押え部に囲まれた２つの空間部を通り抜けて、ループ状の把持部が当該固定軸部の他方側に形成され、更に、他方の屈曲金具の固定軸部とベルト押え部に囲まれた２つの空間部を通り抜けて、ループ状の把持部が当該固定軸部の他方側に形成されて当該固定軸部に固定されたことを特徴とする。
【００１４】
更に、本発明は、ベルトとベルト押え部との摩擦抵抗が５ｋｇｆ未満となるように、フレーム環の曲げ角度が設定されるのが好ましい。
【発明の効果】
【００１５】
本発明に係るリードによれば、ペットの散歩をするときに把持部の径を簡単に調節することができ、把持部が手首等に食い込むことも防止できる。
【図面の簡単な説明】
【００１６】
【図１】本発明の一実施形態を示すリードの斜視図である。
【図２】図１に示すリードの縦断面図である。
【図３】（ａ）〜（ｅ）は、屈曲金具の斜視図、正面図、側面図、平面図、Ｂ−Ｂ線断面図である。
【図４Ａ】（ａ）〜（ｃ）は、本実施形態の製造工程図である。
【図４Ｂ】（ｄ）、（ｅ）は、本実施形態の製造工程図である。
【図５Ａ】（ａ）〜（ｃ）は、本実施形態の作用を示す要部の説明図である。
【図５Ｂ】（ｄ）〜（ｆ）は、本実施形態の作用を示す要部の説明図である。
【図６】他の実施形態のリードを示す斜視図である。
【発明を実施するための形態】
【００１７】
以下、本発明の一実施形態を図面に基づいて説明する。
【００１８】
図１は、本発明の一実施形態を示すリードＡの斜視図であり、図２は、図１に示すリードＡの縦断面図である。
【００１９】
本実施形態のリードＡは、帯状のベルト１と、屈曲金具２とより構成している。
【００２０】
ベルト１は、皮革を長尺の帯状に形成している。
【００２１】
皮革は、天然皮革や人工皮革の何れでも構わない。
【００２２】
皮革は、強靭なうえ高級感も醸し出せるため好ましい。
【００２３】
ベルト１の長さは、腰に巻き回したり、襷がけにしたりする場合を考慮して、１ｍ以上の長尺に形成している。
【００２４】
なお、ベルト１は皮革に限定されるものではなく、例えば、天然繊維又は合成繊維或いは合成樹脂を素材として、帯状に形成したものでも可能である。
【００２５】
ベルト１の幅は７ｍｍ〜２０ｍｍの範囲で形成され、ベルト１の厚さは３ｍｍ〜７ｍｍ程度のものが考えられるが、ここでは、ベルト１の幅が１８ｍｍ、ベルト１の厚さが５ｍｍのものを用いて説明している。
【００２６】
屈曲金具２は、図３（ａ）〜（ｅ）にも示す通り、フレーム環２１と、固定軸部２２とを備えている。
【００２７】
フレーム環２１は、直径２ｍｍ〜４ｍｍの金属棒を長方形のリング状に形成したものが考えられ、例えば、ベルト１の幅が１８ｍｍの場合では、フレーム環２１が直径３．５ｍｍの金属棒でリング状に形成するのが良い。
【００２８】
フレーム環２１は、対向する長辺の夫々の中央を中心にして、両側の短辺が夫々一方側（図面では上側）に向くように屈曲形成している。
【００２９】
フレーム環２１の曲げ角度θ、すなわち、フレーム環２１の長辺を略Ｖ状に屈曲したときの内側に成される角度θは１２０°に形成している。
【００３０】
フレーム環２１の曲げられた頂点には、夫々の頂点を繋いで当該フレーム環２１を二分する棒状の固定軸部２２を架設している。
【００３１】
固定軸部２２は、フレーム環２１と同じ材質の直径２ｍｍの金属棒を用いている。
【００３２】
固定軸部２２の両端は、フレーム環２１に溶着され、溶着後には、フレーム環２１及び固定軸部２２の表面全体にメッキ処理を施して、溶着部分の継目を隠蔽し、見栄えも美しく仕上げている。
【００３３】
このようにフレーム環２１は、固定軸部２２を中心に二分されているため、固定軸部２２の両側には、当該フレーム環２１によるベルト押え部２３ａ、２３ｂが夫々形成されている。
【００３４】
夫々のベルト押え部２３ａ、２３ｂと、固定軸部２２との間には、ベルト１が通り抜ける２つの空間部２４ａ、２４ｂが形成されている。
【００３５】
ベルト押え部２３ａ、２３ｂは、ベルト１の表面に接合する部位であり、本実施形態では長方形のフレーム環２１の短辺が担当することとなる。
【００３６】
本実施形態では、フレーム環２１の曲げ角度θを１２０°に設定することで、空間部２４ａ、２４ｂにおける夫々のベルト押え部２３ａ、２３ｂを結んだ仮想線と、固定軸部２２との間隔（有効空間）を、ベルト１の２倍の厚さよりも小さい９ｍｍに形成している。
【００３７】
これらベルト１及び屈曲金具２は、以下の要領で組み付けて本実施形態のリードＡが製造される。
【００３８】
図４Ａ（ａ）〜（ｃ）及び図４Ｂ（ｄ）、（ｅ）は、本実施形態のリードＡの製造工程図である。
【００３９】
先ず、ベルト１の基端１ａを屈曲金具２の固定軸部２２に固定する。
【００４０】
具体的には、ベルト１の基端１ａを屈曲金具２の空間部２４ｂから別の空間部２４ａに挿通し、当該ベルトの基端１ａを固定軸部２２に巻き回す〔図４Ａ（ａ）、参照。〕。
【００４１】
この巻き回したベルト１の基端１ａと、重なり合ったベルト１とを縫着してベルト１の基端１ａを固定軸部２２に回転自在に固定する〔図４Ａ（ｂ）、参照。〕。
【００４２】
次に、ベルト１の先端１ｂを２つの空間部２４ａ、２４ｂに通り抜けさせる。
【００４３】
具体的には、ベルト１の先端１ｂを屈曲金具２の別の空間部２４ａから空間部２４ｂに挿通する〔図４Ａ（ｃ）、参照。〕。
【００４４】
このようにベルト１の先端１ｂを２つの空間部２４ａ、２４ｂに通り抜けさせることにより、ループ状の把持部３が屈曲金具２の曲げられた方向と相反する方向、つまり固定軸部２２の他方側に形成されたリードＡができる〔図４Ｂ（ｄ）、参照。〕。
【００４５】
そして、リードＡの先端１ｂに、ペットの首輪などに繋ぐ従来同様の掛止具Ａ１を取り付ければ、ペット散歩用のリードＡを容易に製造することができる〔図４Ｂ（ｅ）、参照。〕。
【００４６】
本実施形態のリードＡでは、フレーム環２１を１２０°に屈曲形成することで、９ｍｍの有効空間を形成している。
【００４７】
つまり、有効空間がベルト１の２倍であれば、ベルト１は、真っ直ぐな状態で２つの空間部２４ａ、２４ｂを通り抜けるために、ベルト１とベルト押え部２３ａ、２３ｂとの間には摩擦抵抗は殆ど生じない。
【００４８】
しかし、本実施形態では、厚さ５ｍｍのベルト１に対して９ｍｍの有効空間を形成しているので、固定軸部２２に巻き回したベルト１の厚みによって、ベルト１が、ベルト押え部２３ａ、２３ｂに接触しながら略湾曲した状態で２つの空間部２４ａ、２４ｂに挿通されている。
【００４９】
そのため、屈曲金具２をベルト１の長さ方向に動かすためには、ベルト１とベルト押え部２３ａ、２３ｂとの間に生じる摩擦抵抗以上の力が必要となるが、本実施形態では、この摩擦抵抗が０．５ｋｇｆとなるようにフレーム環２１の曲げ角度θを１２０°に設定しているので、屈曲金具２をベルト１の長さ方向へスムーズに移動することができる。
【００５０】
ここで、フレーム環２１の曲げ角度θを１２０°よりも広い角度に設定すれば、フレーム環２１は水平に近づいて、ベルト１の通り抜ける有効空間が狭くなるため、ベルト１とベルト押え部２３ａ、２３ｂとの摩擦抵抗を大きくすることができる。
【００５１】
一方、フレーム環２１の曲げ角度θを１２０°よりも狭い角度に設定すれば、フレーム環２１は折り重なる方向に近づいて、ベルト１の通り抜ける有効空間が広くなるため、ベルト１とベルト押え部２３ａ、２３ｂとの摩擦抵抗を無くすことができる。
【００５２】
しかしながら、摩擦抵抗が大きすぎると、屈曲金具２をベルトの長さ方向へスムーズに移動することができず、逆に、摩擦抵抗が全く無ければ、屈曲金具２が自重によって勝手に移動されて把持部３の大きさを維持できないことになる。
【００５３】
もっとも、屈曲金具２をベルト１の長さ方向へスムーズに移動するための力は、個人差があるが、リードＡの使用者であれば、５ｋｇｆよりも小さな力であれば、指先で操作される屈曲金具１をスムーズに移動することができるものと考えている。
【００５４】
そのため、屈曲金具２をベルト１の長さ方向へスムーズに移動するためには、ベルト１とベルト押え部２３ａ、２３ｂとの摩擦抵抗が、屈曲金具２の自重以上であって、且つ、５ｋｇｆ未満となるように、フレーム環状２１の曲げ角度θを設定するのが良い。
【００５５】
また、摩擦抵抗を小さくすれば、屈曲金具２の操作を女性や子供などの非力な者でも容易にベルト１の長さ方向に動かすことができるので、摩擦抵抗が、屈曲金具２の自重以上であって、且つ、１ｋｇｆ未満、具体的には０．５ｋｇｆとなるように、フレーム環２１の曲げ角度θを設定するのが好ましい。
【００５６】
なお、ベルト１の厚みや幅、材質等によっては、曲げ角度θが１２０°よりも広い角度又は狭い角度に設定されることも有り得るが、要は、ベルト１とベルト押え部２３ａ、２３ｂとの摩擦抵抗が前記範囲であれば採用できる。
【００５７】
本実施形態のリードＡを使用するには、屈曲金具２を摘んでリードＡの先端１ｂ側に移動して把持部３の径を十分に広げ、この広げた把持部３を手首や腰などに巻き回したり、襷がけしたりする。
【００５８】
そして、屈曲金具２を摘んでリードＡの基端１ａ側に移動するだけで、把持部３の径が縮まるので、手首等の大きさに合わせてペットを散歩に連れて行くのである。
【００５９】
このように本実施形態のリードＡによれば、屈曲金具２をベルト１の長さ方向に移動するだけで、排便処理と散歩とが頻繁に繰り返されるペットの散歩中であっても把持部３の径を簡単且つスムーズに変更することができる。
【００６０】
ところで、散歩中には、ペットが急に走り出して思わぬ方向にリードＡを引っ張ることがある。
【００６１】
しかしながら、本実施形態のリードＡであれば、把持部３が誘導する者の手首等の大きさに当て嵌まった後は、リードＡが思わぬ方向に引っ張られても、把持部３の径がそれ以上縮まらずに手首等に食い込むことを防止できるという効果も兼備えている。
【００６２】
この作用について、詳述する。
【００６３】
図５Ａ、図５Ｂは、本実施形態のリードＡの作用を示す要部の概略図である。
【００６４】
図５Ａ（ａ）は、リードＡの先端１ｂ側がベルト押え部２３ａ、２３ｂを結んだ仮想線の方向に引っ張られている状態を示している。
【００６５】
この方向にリードＡの先端１ｂ側が引っ張られて０．５ｋｇｆ以上の力Ｆが作用すると、屈曲金具２を動かさなくても把持部３の径が縮まろうとする。
【００６６】
ところが、本実施形態では、固定軸部２２に巻き回したベルト１を介し、僅かに上方に湾曲して挿通されたベルト１が、真っ直ぐな状態に戻ろうとするが、４ｍｍの有効空間しか残されていないために、真っ直ぐな状態には戻ることができず、ベルト１がベルト押え部２３ａ、２３ｂ及び固定軸部２２に挟持された状態で押圧され、この押圧力によって、ベルト１の移動が規制されることとなる。
【００６７】
しかも、把持部３のベルト１裏面と手首等Ｂ０との接触部分には、摩擦力が生じている。
【００６８】
そのため、ペットがこの方向にリードＡを引っ張っても、前記押圧力及び摩擦力によってベルト１の移動が規制され、手首等Ｂ０に巻かれた把持部３の径が縮まることはなく、手首等Ｂ０には、力Ｆに対する逆向きの力（Ｆ０）が負荷されるだけである。
【００６９】
なお、リードＡの引っ張られる力Ｆに負けて手首等Ｂ０が回転されると、その回転された分だけ把持部３の径が縮まることも考えられるが、手首等Ｂ０が回転される方向にかかる力は、屈曲金具２を介して分散されるために、リードＡの引っ張る力Ｆよりも小さくなるので、手首等Ｂ０が力Ｆに負けて回転することは考え難い。
【００７０】
図５Ａ（ｂ）、（ｃ）は、リードＡの先端１ｂ側が固定軸部２２側の方向に引っ張られた状態を示している。
【００７１】
この方向にリードＡの先端１ｂ側が引っ張られて力Ｆが作用すると、ベルト１が固定軸部２２を図中下方に押圧する〔図５Ａ（ｂ）、参照。〕。
【００７２】
そして、固定軸部２２が押圧されると、ベルト１裏面と手首等Ｂ０との接触部分の摩擦力が、固定軸部２２が下方へ移動しようとする力に負けて、屈曲金具２が図中矢印の下方向に移動され、この移動に伴って把持部３が手首等Ｂ０の周りを空回りする。
【００７３】
やがて、リードＡの先端１ｂ側がベルト押え部２３ａ、２３ｂを結んだ仮想線の方向に位置付けされると回転方向への力Ｆがなくなって空回りが停止し、図５Ａ（ａ）と同じく両者の力Ｆ、Ｆ０が釣合った状態になる〔図５Ａ（ｃ）、参照。〕。
【００７４】
従って、ペットがこの方向にリードＡを引っ張っても、把持部３が手首等Ｂ０の周りを空回りするだけで、手首等Ｂ０に巻かれた把持部３の径が縮まることはない。
【００７５】
図５Ｂ（ｄ）〜（ｆ）は、リードＡの先端１ｂ側がベルト押え部２３ａ、２３ｂ側の方向に引っ張られた状態を示している。
【００７６】
この方向にリードＡの先端１ｂ側が引っ張られて力Ｆが作用すると、ベルト１がベルト押え部２３ｂを図中上方に押圧する〔図５Ｂ（ｄ）、参照。〕。
【００７７】
このベルト押え部２３ｂが上方に押圧されると、屈曲金具２の固定軸部２２を支点にしてベルト押え部２３ａが下方に回転され、当該ベルト押え部２３ａがベルト１表面を押圧してベルト１の移動を規制しようとする。
【００７８】
ところが、ベルト１の表面は、なめし処理された滑面であるために、ベルト押え部２３ａがベルト１の移動を規制できずに、当該ベルト１が滑って先端１ｂ側に引っ張られてしまい、把持部３の径が縮まる〔図５Ｂ（ｅ）、参照。〕。
【００７９】
やがて、把持部３の径が縮まって手首等Ｂ０の大きさに当て嵌まると、ベルト１が手首等に食い込もうとする力（抵抗力）が生じてベルト１の滑りが停止する。
【００８０】
更に、リードＡの先端１ｂ側が当該方向に引っ張られると、手首等に食い込もうとする力（抵抗力）が増加しようとするが、この力に負けて、ベルト押え部２３ａを支点にして、他のベルト押え部２３ｂが上方に回転されると共に、ベルト１がベルト押え部２３ａで折り曲げられて、両者の力Ｆ、Ｆ０が釣合った状態となる〔図５Ｂ（ｆ）、参照。〕。
【００８１】
従って、ペットがこの方向にリードＡを引っ張ると、把持部３の径は縮まることがあるが、この把持部３の径が手首等Ｂ０の大きさに当て嵌まったときには、屈曲金具２が回転動作して、ベルト１のそれ以上の縮まりを規制するために、把持部３が手首等Ｂ０に食い込むことを防止できるのである。
【００８２】
なお、リードＡを先端１ｂ側に引っ張る力Ｆが治まった時には、屈曲金具２をリードＡの先端１ｂ側に移動するだけで、把持部３の径を簡単に広げることができる。
【００８３】
本実施形態のリードＡによれば、ベルト１とベルト押え部２３ａ、２３ｂとの摩擦抵抗を０．５ｋｇｆにしているので、屈曲金具２をスムーズに移動させることができ、しかも、把持部３の径が縮まって手首等Ｂ０に食い込もうとしても、ベルト１が屈曲金具２のベルト押え部２３ａを支点に折り曲げられて、それ以上の食い込みを防止できるものである。
【００８４】
つまり、屈曲金具２をスムーズに移動させるという効果を達成するには、前述した通り、フレーム環２１の曲げ角度θは１２０°よりも狭い角度に設定されていれば良い。
【００８５】
ところが、フレーム環２１の曲げ角度θが狭くなり過ぎると、２つのベルト押え部２３ａ、２３ｂが近づき過ぎるために、ベルト１がベルト押え部２３ａを支点にして折り曲げられる前に、当該ベルト１が手首等Ｂ０に食い込んでしまってベルト１の食い込みを防止するという効果を達成できない恐れがある。
【００８６】
そのため、手首等Ｂ０にベルト１が食い込むことを確実に防止するには、２つのベルト押え部２３ａ、２３ｂが離れている方が良く、具体的には、曲げ角度が９０°以上の鈍角に設定されていれば良い。
【００８７】
従って、両者の効果を達成するためには、フレーム環２１の曲げ角度θは９０°〜１２０°に設定されていれば良く、好ましくは、曲げ角度θは１２０°に設定されるのが好ましい。
【００８８】
また、本実施形態の有効空間及び摩擦抵抗を維持した状態で、フレーム環２１の曲げ角度θを１２０°よりも狭い角度に設定すれば、屈曲金具２の大きさをコンパクトに形成できるので、小さなペット用のリードＡでも容易に形成できる。
【００８９】
図６は、他の実施形態のリードＡを示す斜視図である。
【００９０】
なお、図１〜図５と共通する部位には同一の符号を付して重複する説明については省略し、以下では、本実施形態の特徴についてのみ説明する。
【００９１】
本実施形態に示すリードＡは、ベルト１の両端に屈曲金具２を介してループ状の把持部３（３ａ、３ｂ）が夫々形成されている点に特徴がある。
【００９２】
すなわち、本実施形態のリードＡは、ベルト１と、ベルト１の両端に夫々固定された屈曲金具２（２ａ、２ｂ）と、を備えている。
【００９３】
ここで、ベルト１及び屈曲金具２は、前記同様であるため省略する。
【００９４】
そして、図４Ａ（ａ）〜（ｃ）及び図４Ｂ（ｄ）、（ｅ）と同じ要領でベルト１の一方側にループ状の把持部３（３ａ）を形成したうえで、更に、ベルト１の先端１ｂが、他方の屈曲金具２（２ｂ）の固定軸部２２ｂとベルト押え部２３ａ、２３ｂに囲まれた２つの空間部２４ａ、２４ｂを通り抜けて、ループ状の把持部３（３ｂ）が固定軸部２２ｂの他方側に形成されたうえで当該固定軸部２２ｂに固定されている。
【００９５】
このように、ベルト１の両端に２つの屈曲金具２を介して把持部３（３ａ、３ｂ）が夫々形成されていれば、一方の把持部３ａを持ち手として使用し、他方の把持部３ｂをペットの首や胴等に直接巻き回しても、ペットの首や胴等を締め過ぎることがない。
【００９６】
そのため、本実施形態のリードＡによれば、例えば、首輪を付けずに室内で飼われているペットを屋外に連れ出すときには、何れか一方の把持部３ａ、３ｂをペットの首等に巻き回して調節するだけで、一々首輪やハーネスを付ける必要がなく、いわゆる首輪付きリードとして使用することができる。
【００９７】
また、本実施形態のリードＡでは、夫々の把持部３ａ、３ｂが同方向にループ状に形成されたものを示したが、これらの把持部３ａ、３ｂが相反する方向にループ状に形成されて構わない。
【００９８】
なお、本発明のリードＡは、主に犬、猫等のペットを散歩させるために使用するものであるが、例えば、幼児を連れて道路付近を散歩するときなどに、事故の危険を未然に防止するための事故防止用リードとして使用することも可能である。
【符号の説明】
【００９９】
Ａ    リード
θ    曲げ角度
１    ベルト
１ａ    基端
１ｂ    先端
２    屈曲金具
２１    フレーム環
２２    固定軸部
２３ａ、２３ｂ    ベルト押え部
２４ａ、２４ｂ    空間部
３（３ａ、３ｂ）把持部
【図１】
0005687874.tif 000002
【図２】
0005687874.tif 000003
【図３】
0005687874.tif 000004
【図４Ａ】
0005687874.tif 000005
【図４Ｂ】
0005687874.tif 000006
【図５Ａ】
0005687874.tif 000007
【図５Ｂ】
0005687874.tif 000008
【図６】
0005687874.tif 000009